(57)【要約】【課題】  天板の後部に沿ってフロントパネルと配線ダクトが設けられた机において、左右方向の任意の位置にサイドパネルを取付けることができ、支持強度が高く、外観性にも優れた机のサイドパネル取付装置を提供する。【解決手段】  フロントパネル２のハンギング溝９に上部連結具５のフックを係止して移動規制具６で固定し、上部連結具の前方へ延びた連結片１１をサイドパネル４の後部上面にネジ止めする一方、下部保持具７の基体１２を配線ダクト３内に位置させ、基体の一端部の第１屈曲片１３を天板１の後部下面にネジ止めし、基体の他端部の第２屈曲片１５を天板より上方へ突出させてサイドパネルの下端面に沿って設けた凹溝内の後部に係合し、天板の前縁を包持する前部連結具８の一方の固定片をサイドパネルの下端面前部の凹溝内にネジ止めし、他方の取付片１８を天板の下面にネジ止めする。【選択図】        図２
2010154932.tif 000002
【特許請求の範囲】
【請求項１】
天板の後部に沿って前面上縁にハンギング溝を有するフロントパネルが立設され、該フロントパネルの前面側に沿って設けた配線ダクト内に前記天板の後端が位置するとともに、該天板の後部下面が前記配線ダクトに連通した構造の机において、前記フロントパネルと略同一高さのサイドパネルを前記天板の左右任意の位置で前記フロントパネルと直角に取付けるにあたり、前記フロントパネルのハンギング溝に上部連結具のフックを係止するとともに、移動規制具でハンギング溝に対してフックを固定し、該上部連結具の前方へ延びた連結片をサイドパネルの後部上面にネジ止めする一方、下部保持具の基体を配線ダクト内に位置させ、該基体の一端部に屈曲形成した第１屈曲片を前記天板の後部下面にネジ止めし、該基体の他端部に屈曲形成した第２屈曲片を天板より上方へ突出させ、該第２屈曲片を前記サイドパネルの下端面に沿って設けた凹溝内の後部に係合し、更に天板の前縁を包持する側面視略コ字形の前部連結具の一方の固定片を前記サイドパネルの下端面前部の凹溝内にネジ止めし、他方の取付片を天板の下面にネジ止めすることを特徴とする机のサイドパネル取付装置。
【請求項２】
前記ハンギング溝は開口溝の上下に係止縁を有し、前記上部連結具のフックを下方係止縁に係止し、前記移動規制具は中央下側に形成した切欠部に前記上部連結具のフックを係合するとともに、ハンギング溝の上下係止縁に同時に係止した状態で両側に螺合したネジの先端をハンギング溝の内壁に圧接して移動不能に固定する請求項１記載の机のサイドパネル取付装置。
【請求項３】
前記サイドパネルは、本体パネルの上端にアルミ押出し型材からなる中空のレール部材が取付けられ、該レール部材の端部において上板部を切り欠いて開口部を形成し、該開口部に臨む下板部を本体パネルの上面にネジ止めするとともに、合成樹脂製の上部端キャップの化粧板でレール部材の端部を覆い且つ該化粧板から延びた嵌合部を前記開口部に充填して嵌合し、前記上部連結具の連結片を前記レール部材の下板部に重ねて同時に本体パネルにネジ止めしてなる請求項１又は２記載の机のサイドパネル取付装置。
【請求項４】
前記下部保持具の基体は、偏平な正面視クランク状であり、水平な横板部の右端部に下方へ延びた縦板部を有するとともに、左端部に上方へ延びた縦板部を有し、右側の縦板部の下端を前方へ屈曲して第１屈曲片を形成するとともに、左側の縦板部の上端を後方へ屈曲して第２屈曲片を形成し、第１屈曲片には先端側に通孔を有する水平片と基部側に下方へ突出した突部を有し、第２屈曲片には先端側に通孔を有する水平片と基部側に上方へ突出した突部を有し、第１屈曲片の水平片を前記天板の後部下面にネジ止めするとともに、第２屈曲片の突部を前記サイドパネルの下端面の凹溝内に係合してなる請求項１〜３何れかに記載の机のサイドパネル取付装置。
【請求項５】
前記前部連結具は、上部の固定片と下部の取付片を有する側面視略コ字形であり、前記固定片に通孔を形成するとともに、前記取付片に前記通孔の直下に該通孔よりも横幅が広い前後に延びた長孔を形成し、前記固定片を前記サイドパネルの下端面前部の凹溝内に嵌合するとともに、通孔に通したネジを前記長孔から差し入れたドライバーで回してサイドパネルの下端に螺合し、その状態で前部連結具を前記天板の前縁部に前方から嵌合し、前記取付片の長孔に通したネジを天板の下面に螺合してなる請求項１〜４何れかに記載の机のサイドパネル取付装置。
【発明の詳細な説明】
【技術分野】
【０００１】
本発明は、机のサイドパネル取付装置に係わり、更に詳しくは天板の後部に沿ってフロントパネルが設置された机においてサイドパネルを取付ける構造に関するものである。
【背景技術】
【０００２】
従来から、天板の後端に沿ってフロントパネルを立設したパネル付きデスク、あるいは独立したデスクを前後に背面を合わせて側方へ列設したデスク配置、又は共通の脚部材で前後に天板を支持するとともに、側方へ次々に連結した構造のデスク列において、前後の天板間にフロントパネルを立設した構造は公知である。そして、これらのフロントパネルを有するデスクシステムにおいて、前述のフロントパネルとともにサイドパネルを天板上に立設して、前後左右の区画を行うことも公知である。ここで、サイドパネルの取付構造についても各種の構造が提案されている。
【０００３】
特許文献１には、フロントパネルの両側部に形成した上下の係止穴に、サイドパネルの後端に取付けた後部連結金具の係止爪を係合するとともに、サイドパネルの前端下部を天板の前縁にクランプ構造の前部連結金具で取付けている。この取付構造では、フロントパネルに形成した係止穴の位置に、サイドパネルの取付位置が限定されるので、自由な区画ができないといった不都合がある。
【０００４】
特許文献２には、サイドパネルの端部をフロントパネルのパネル面に突き合わせ、サイドパネルの少なくとも２箇所に設定した受圧部とフロントパネルの対応部位との間を、これらに着脱可能に係り合わせた第１の緊締機構によって前記端部を前記パネル面に押し付ける方向に緊締するとともに、サイドパネルの前記端部と直交する直交端部を同時に天板の上面に突き合わせ、サイドパネルのうち前記受圧部からフロントパネルとは反対側へ変位した部位に設定した受圧部と天板の対応部位との間を、これらに着脱可能に係り合わせた第２の緊締機構によって前記直交端部を前記天板の上面に押し付ける方向に緊締するように構成したことを特徴とするパネル連結構造が記載されている。ここで、第１の緊締機構及び第２の緊締機構として、ネジで天板の前端部を上下から挟持するクランプ機構が例示され、何れもフロントパネル及び天板の左右方向任意の位置で取付けることができる構造である。
【０００５】
また、特許文献３には、天板の前後縁を前後一対のクランプ体で挟持して天板上に連結体を固定し、この連結体の上からサイドパネルの下端に沿って設けた装着溝が嵌るように被せて立起状態に保持する構造で、机の左右方向の任意の位置にサイドパネルを取付けることができる取付装置が開示されている。この場合、前記クランプ体の大部分と連結体は装着溝内に隠れた状態となる。
【０００６】
しかし、特許文献２に記載の構造は、フロントパネルの上下縁が開放されていることを前提としているので、フロントパネルが天板下から立ち上がった構造のものには適用することができない。更に、第１の緊締機構及び第２の緊締機構の大部分が露出するので、外観性を損なうことになる。また、特許文献３に記載の構造は、外観性に優れているものの、サイドパネルの下部のみを支持しているので、支持強度が低く、背の高い目隠し効果に優れたサイドパネルを安定に支持することはできない。
【特許文献１】特開２００８−０７３４６７号公報
【特許文献２】特開２００８−１１９４１２号公報
【特許文献３】特開２００１−１４５５２６号公報
【発明の開示】
【発明が解決しようとする課題】
【０００７】
そこで、本発明が前述の状況に鑑み、解決しようとするところは、天板の後部に沿ってフロントパネルが設置されているとともに、該フロントパネルの前面側に沿って配線ダクトが設けられた机において、左右方向の任意の位置にサイドパネルを取付けることができるとともに、サイドパネルの支持強度が高く、しかも外観性にも優れた机のサイドパネル取付装置を提供する点にある。
【課題を解決するための手段】
【０００８】
本発明は、前述の課題解決のために、天板の後部に沿って前面上縁にハンギング溝を有するフロントパネルが立設され、該フロントパネルの前面側に沿って設けた配線ダクト内に前記天板の後端が位置するとともに、該天板の後部下面が前記配線ダクトに連通した構造の机において、前記フロントパネルと略同一高さのサイドパネルを前記天板の左右任意の位置で前記フロントパネルと直角に取付けるにあたり、前記フロントパネルのハンギング溝に上部連結具のフックを係止するとともに、移動規制具でハンギング溝に対してフックを固定し、該上部連結具の前方へ延びた連結片をサイドパネルの後部上面にネジ止めする一方、下部保持具の基体を配線ダクト内に位置させ、該基体の一端部に屈曲形成した第１屈曲片を前記天板の後部下面にネジ止めし、該基体の他端部に屈曲形成した第２屈曲片を天板より上方へ突出させ、該第２屈曲片を前記サイドパネルの下端面に沿って設けた凹溝内の後部に係合し、更に天板の前縁を包持する側面視略コ字形の前部連結具の一方の固定片を前記サイドパネルの下端面前部の凹溝内にネジ止めし、他方の取付片を天板の下面にネジ止めすることを特徴とする机のサイドパネル取付装置を構成した（請求項１）。
【０００９】
そして、前記ハンギング溝は開口溝の上下に係止縁を有し、前記上部連結具のフックを下方係止縁に係止し、前記移動規制具は中央下側に形成した切欠部に前記上部連結具のフックを係合するとともに、ハンギング溝の上下係止縁に同時に係止した状態で両側に螺合したネジの先端をハンギング溝の内壁に圧接して移動不能に固定することが好ましい（請求項２）。
【００１０】
ここで、前記サイドパネルは、本体パネルの上端にアルミ押出し型材からなる中空のレール部材が取付けられ、該レール部材の端部において上板部を切り欠いて開口部を形成し、該開口部に臨む下板部を本体パネルの上面にネジ止めするとともに、合成樹脂製の上部端キャップの化粧板でレール部材の端部を覆い且つ該化粧板から延びた嵌合部を前記開口部に充填して嵌合し、前記上部連結具の連結片を前記レール部材の下板部に重ねて同時に本体パネルにネジ止めしてなることがより好ましい（請求項３）。
【００１１】
また、前記下部保持具の基体は、偏平な正面視クランク状であり、水平な横板部の右端部に下方へ延びた縦板部を有するとともに、左端部に上方へ延びた縦板部を有し、右側の縦板部の下端を前方へ屈曲して第１屈曲片を形成するとともに、左側の縦板部の上端を後方へ屈曲して第２屈曲片を形成し、第１屈曲片には先端側に通孔を有する水平片と基部側に下方へ突出した突部を有し、第２屈曲片には先端側に通孔を有する水平片と基部側に上方へ突出した突部を有し、第１屈曲片の水平片を前記天板の後部下面にネジ止めするとともに、第２屈曲片の突部を前記サイドパネルの下端面の凹溝内に係合してなることも好ましい（請求項４）。
【００１２】
また、前記前部連結具は、上部の固定片と下部の取付片を有する側面視略コ字形であり、前記固定片に通孔を形成するとともに、前記取付片に前記通孔の直下に該通孔よりも横幅が広い前後に延びた長孔を形成し、前記固定片を前記サイドパネルの下端面前部の凹溝内に嵌合するとともに、通孔に通したネジを前記長孔から差し入れたドライバーで回してサイドパネルの下端に螺合し、その状態で前部連結具を前記天板の前縁部に前方から嵌合し、前記取付片の長孔に通したネジを天板の下面に螺合してなることも好ましい（請求項５）。
【発明の効果】
【００１３】
以上にしてなる請求項１に係る発明の机のサイドパネル取付装置は、サイドパネルの後端上部を上部連結具と移動規制具でフロントパネルの前面上縁のハンギング溝に連結するとともに、サイドパネルの下端前部を前部連結具で天板の前縁部に連結し、更にサイドパネルの下端後部に天板の後部に取付けた下部保持具が係合して左右の移動を規制して取付け、これら３点でサイドパネルを支持するので、支持強度が高く、また左右方向の取付位置に関しては上部連結具、下部保持具及び前部連結具は天板下面に形成する螺孔の位置に応じて変更可能であり、左右方向の任意の位置にサイドパネルを取付けることができる。
【００１４】
請求項２によれば、前記ハンギング溝は開口溝の上下に係止縁を有し、前記上部連結具のフックを下方係止縁に係止し、前記移動規制具は中央下側に形成した切欠部に前記上部連結具のフックを係合するとともに、ハンギング溝の上下係止縁に同時に係止した状態で両側に螺合したネジの先端をハンギング溝の内壁に圧接して移動不能に固定するので、ハンギング溝の長手方向の任意の位置に上部連結具を移動不能に簡単に取付けることができる。
【００１５】
請求項３によれば、前記サイドパネルは、本体パネルの上端にアルミ押出し型材からなる中空のレール部材が取付けられ、該レール部材の端部において上板部を切り欠いて開口部を形成し、該開口部に臨む下板部を本体パネルの上面にネジ止めするとともに、合成樹脂製の上部端キャップの化粧板でレール部材の端部を覆い且つ該化粧板から延びた嵌合部を前記開口部に充填して嵌合し、前記上部連結具の連結片を前記レール部材の下板部に重ねて同時に本体パネルにネジ止めしてなるので、上部連結具のフックをフロントパネルのハンギング溝に連結した状態で、前方へ延びた上部連結具の連結片をサイドパネルの上端のレール部材の下板部に重ねて本体パネルにネジ止めし、上部端キャップを装着した後には上部連結具と移動規制具は隠れてしまうので外観性に優れている。
【００１６】
請求項４によれば、前記下部保持具の基体は、偏平な正面視クランク状であり、水平な横板部の右端部に下方へ延びた縦板部を有するとともに、左端部に上方へ延びた縦板部を有し、右側の縦板部の下端を前方へ屈曲して第１屈曲片を形成するとともに、左側の縦板部の上端を後方へ屈曲して第２屈曲片を形成し、第１屈曲片には先端側に通孔を有する水平片と基部側に下方へ突出した突部を有し、第２屈曲片には先端側に通孔を有する水平片と基部側に上方へ突出した突部を有し、第１屈曲片の水平片を前記天板の後部下面にネジ止めするとともに、第２屈曲片の突部を前記サイドパネルの下端面の凹溝内に係合してなるので、サイドパネルの下端後部の左右方向への変位を確実に規制することができ、また下部保持具は配線ダクト内に隠れているので外観性に優れ、また下部保持具は上下反転させることにより左右どちらの端部にも取付けること取付けることができ、サイドパネルを天板の側端に沿わせて取付けることができる。
【００１７】
請求項５によれば、前記前部連結具は、上部の固定片と下部の取付片を有する側面視略コ字形であり、前記固定片に通孔を形成するとともに、前記取付片に前記通孔の直下に該通孔よりも横幅が広い前後に延びた長孔を形成し、前記固定片を前記サイドパネルの下端面前部の凹溝内に嵌合するとともに、通孔に通したネジを前記長孔から差し入れたドライバーで回してサイドパネルの下端に螺合し、その状態で前部連結具を前記天板の前縁部に前方から嵌合し、前記取付片の長孔に通したネジを天板の下面に螺合してなるので、前部連結具の固定片をサイドパネルの下端前部にネジ止めする作業が簡単であり、また取付片を天板の前縁部下面にネジ止めする作業も容易である。この前部連結具は一部が天板前縁部に露出するが、天板前縁部を包持する形状であるので、突出部が少なく、また目立たないので外観性を損なうことはないのである。
【発明を実施するための最良の形態】
【００１８】
次に、添付図面に示した実施形態に基づき、本発明を更に詳細に説明する。図１は本発明に係る机を示し、図２〜図１２は各部の詳細を示し、図中符号１は天板、２はフロントパネル、３は配線ダクト、４はサイドパネル、５は上部連結具、６は移動規制具、７は下部保持具、８は前部連結具をそれぞれ示している。
【００１９】
本実施形態の机は、図１（ａ）に示すように、天板１の後部に沿って前面上縁にハンギング溝９を有するフロントパネル２が立設され、該フロントパネル２の前面側に沿って設けた配線ダクト３内に前記天板１の後端が位置するとともに、該天板１の後部下面が前記配線ダクト３に連通した構造である。そして、図１（ｂ）に示すように、サイドパネル４を天板１の上面で前記フロントパネル２に対して直角に、上部連結具５、移動規制具６、下部保持具７及び前部連結具８を用いて３点で支持している。
【００２０】
更に詳しくは、前記フロントパネル２と略同一高さのサイドパネル４を前記天板１の左右任意の位置で前記フロントパネル２と直角に取付けるにあたり、前記フロントパネル２のハンギング溝９に上部連結具５のフック１０を係止するとともに、移動規制具６でハンギング溝９に対してフック１０を固定し、該上部連結具５の前方へ延びた連結片１１をサイドパネル４の後部上面にネジ止めする一方、下部保持具７の基体１２を配線ダクト３内に位置させ、該基体１２の一端部に屈曲形成した第１屈曲片１３を前記天板１の後部下面１４にネジ止めし、該基体１２の他端部に屈曲形成した第２屈曲片１５を天板１より上方へ突出させ、該第２屈曲片１５を前記サイドパネル４の下端面に沿って設けた凹溝１６内の後部に係合し、更に天板１の前縁を包持する側面視略コ字形の前部連結具８の一方の固定片１７を前記サイドパネル４の下端面前部の凹溝１６内にネジ止めし、他方の取付片１８を天板１の下面１４にネジ止めするのである。
【００２１】
尚、前記天板１が木質系の材料の場合、前記下部保持具７及び前部連結具８をネジ止めする下面１４の所定位置に、予めオニメナットを埋設しておくことが望ましい。前記天板１がスチール製の場合には、前後の補強部材にタッピンネジを螺合する下穴を設けておくことが望ましい。次に、各部の詳細を順に説明する。
【００２２】
前記フロントパネル２とサイドパネル４の本体パネル１９の上端には、図３〜図６に示すように、アルミ押出し型材からなる中空のレール部材２０が取付けられ、該レール部材２０の端部において上板部２１を切り欠いて開口部２３を形成し、該開口部２３に臨む下板部２２を本体パネル１９の上面にネジ止めするとともに、合成樹脂製の上部端キャップ２４の化粧板２５でレール部材２０の端部を覆い且つ該化粧板２５から延びた嵌合部２６を前記開口部２３に充填して嵌合するようになっている。そして、前記レール部材２０の両側面には、前記ハンギング溝９，９が形成されている。
【００２３】
前記ハンギング溝９は、図４に示すように、開口溝２７の上下に係止縁２８，２９を有し、前記上部連結具５のフック１０を下方係止縁２９に係止し、前記移動規制具６は中央下側に形成した切欠部３０に前記上部連結具５のフック１０を係合するとともに、ハンギング溝９の上下係止縁２８，２９に同時に係止した状態で両側に螺合したネジ３１，３１の先端をハンギング溝９の内壁３２に圧接して移動不能に固定する。
【００２４】
実際の作業は、図５に示すように、前記フロントパネル２とサイドパネル４の上部端キャップ２４を外した後、フロントパネル２に設けたレール部材２０のハンギング溝９の端部から、前記上部連結具５のフック１０に移動規制具６の切欠部３０を係合させた状態で挿入し、所定位置までスライドさせ、該移動規制具６に螺合したネジ３１，３１をねじ込んで、その先端をハンギング溝９の内壁３２に圧接する。それから、前記サイドパネル４の上端にレール部材２０を取付けていたネジ３３，３３を外した状態で、前記上部連結具５の前方へ向いた連結片１１をサイドパネル４のレール部材２０の下板部２２上面に重なるように挿入し、外していた前記ネジ３３，３３を連結片１１の通孔３４，３４に通して前記レール部材２０の下板部２２といっしょに再度本体パネル１９に螺合する。それから、両レール部材２０，２０の端部にそれぞれ上部端キャップ２４，２４を嵌着する。
【００２５】
尚、前記フロントパネル２とサイドパネル４の本体パネル１９の両側面には、アルミ押出し型材からなる側カバー部材３５，３５が取付けられており、該側カバー部材３５の中空部に前記上部端キャップ２４の化粧板２５の下端に突設した係合片３６，３６を上方から係合させて抜止めを図る。
【００２６】
次に、前記下部保持具７を用いてサイドパネル４の下端後部を支持する構造を図７〜図９に基づいて説明する。前記下部保持具７の基体１２は、偏平な正面視クランク状であり、水平な横板部１２Ａの右端部に下方へ延びた縦板部１２Ｂを有するとともに、左端部に上方へ延びた縦板部１２Ｃを有し、右側の縦板部１２Ｂの下端を前方へ屈曲して第１屈曲片１３を形成するとともに、左側の縦板部１２Ｃの上端を後方へ屈曲して第２屈曲片１５を形成し、第１屈曲片１３には先端側に通孔３７を有する水平片３８と基部側に下方へ突出した突部３９を有し、第２屈曲片１５には同様に先端側に通孔３７を有する水平片３８と基部側に上方へ突出した突部３９を有し、第１屈曲片１３の水平片３８を前記天板１の後部下面１４にネジ４０で取付けるとともに、第２屈曲片１５の突部３９を前記サイドパネルの下端面の凹溝１６内に係合し、サイドパネル４の左右の変位を規制している。
【００２７】
ここで、前記サイドパネル４の本体パネル１９の下端面には、アルミ押出し型材からなる下カバー部材４１がネジ４２，４２で取付けられている。前記下カバー部材４１には、下面に解放した凹溝１６が形成されてあり、該下カバー部材４１の両端部には、図９及び図１１に示すように、前記凹溝１６を利用して合成樹脂製の下部端キャップ４３を嵌着している。前記下部端キャップ４３は、該下部端キャップ４３の端部と前記側カバー部材３５の下端部を覆うコーナー化粧部４４と該コーナー化粧部４４から延び前記凹溝１６に嵌入する装着部４５とからなり、該装着部４５に形成した通孔４６に、前記ネジ４２を挿通して取付けている。
【００２８】
また、前記前部連結具８は、図１０〜図１２に示すように、上部の固定片１７と下部の取付片１８を有する側面視略コ字形であり、前記固定片１７に通孔４７を形成するとともに、前記取付片１８に前記通孔４７の直下に該通孔４７よりも横幅が広い前後に延びた長孔４８を形成したものである。そして、図１１に示すように、前記下部端キャップ４３を外し、その代わりに前記コーナー化粧部４４に相当するスペーサー４９を下カバー部材４１の端部に嵌合する。このスペーサー４９には、前記凹溝１６に連続する凹部５０が形成され、前記前部連結具８の固定片１７を受け入れることができるようになっている。
【００２９】
ここで、前記前部連結具８の固定片１７の横幅は、前記取付片１８を含むその他の部分よりも狭く、段部５１が形成されている。そして、前記固定片１７を前記サイドパネルの下端面に取付けた下カバー部材４１の凹溝１６の前部とスペーサー４９の凹部５０に嵌合するとともに、段部５１をスペーサー４９に当接した状態で、通孔４７に通したネジ５２を前記長孔４８から差し入れたドライバーで回してサイドパネル４の下端に螺合してセットする。それから、前記前部連結具８を前記天板１の前縁部に前方から嵌合し、前記取付片１８の長孔４８に通したネジ５３を天板１の下面１４に螺合する。
【００３０】
実際にサイドパネル４を取付ける際には、前記上部連結具５をハンギング溝９に取付けて連結片１１を前方へ向け、前記下部保持具７を天板１の後部に取付けて第２屈曲片１５の突部３９を配線ダクト３から天板１の上面より高い位置に設定する一方、サイドパネル４の上端後部の上部端キャップ２４を外し、下端前部に前記前部連結具８を取付けた状態で、前記サイドパネル４の後部をやや持ち上げて後部の下部端キャップ４３が下部保持具７の突部３９を通過する位置まで後方へ移動させ、同時に前記上部連結具５の連結片１１をレール部材２０の内部に受け入れるとともに、前記前部連結具８の取付片１８を天板１の下面１４へ進入させ、それからサイドパネル４の下端凹溝１６を前記突部３９に係合し、サイドパネル４の後端が前記フロントパネル２の前面に当接し、あるいは接近した状態で前記連結片１１をネジ止めするとともに、前記取付片１８を天板１の下面１４にネジ止めし、そしてサイドパネル４の上端後部に上部端キャップ２４を装着するのである。尚、前記連結片１１をレール部材２０の下板部２２上面に重なるように取付けた場合には、前記上部端キャップ２４の化粧板２５の下端には、該連結片１１を逃がす凹部を形成したものを用いる。
【００３１】
前記下部保持具７を天板１の後部下面１４にネジ４０で取付けるための螺孔と、前記前部連結具８を天板１の前部下面１４にネジ５３で取付けるための螺孔は、天板１の下面１４に予め左右方向に複数箇所にオニメナットを埋設して設けておくことができる。その場合には、オニメナットの位置に応じてサイドパネル４の取付位置を変更することができる。また、天板１に直接木ネジやタッピンネジで螺合できる場合には、サイドパネル４の取付位置を任意に設定できる。
【図面の簡単な説明】
【００３２】
【図１】本発明に係る机を示し、（ａ）はフロントパネルを有する机の斜視図、（ｂ）はフロントパネルに直角にサイドパネルを取付けた机の斜視図である。
【図２】サイドパネルを取付ける構造を示す分解斜視図である。
【図３】サイドパネルの後端上部の連結構造を示す部分拡大斜視図である。
【図４】フロントパネルのハンギング溝に上部連結具を移動規制具で固定して取付けた状態の側面図である。
【図５】フロントパネルのハンギング溝、上部連結具及び移動規制具の関係を示す分解斜視図である。
【図６】同じく上部連結具を移動規制具でフロントパネルのハンギング溝に固定した状態の斜視図である。
【図７】サイドパネルの下端後部を下部保持具で支持した状態の部分拡大斜視図である。
【図８】同じくサイドパネルの下端後部を下部保持具で支持した状態の部分縦断正面図である。
【図９】同じくサイドパネルの下端後部を下部保持具で支持した状態の部分縦断側面図である。
【図１０】サイドパネルの下端前部を前部連結具で天板の前縁部に連結した状態の部分拡大斜視図である。
【図１１】サイドパネルの下端に設けた下カバー部材と下部端キャップとの関係を示す分解斜視図である。
【図１２】サイドパネルの下端前部に前部連結具を取付ける構造を示す分解斜視図である。
【符号の説明】
【００３３】
１  天板、              ２  フロントパネル、
３  配線ダクト、        ４  サイドパネル、
５  上部連結具、        ６  移動規制具、
７  下部保持具、        ８  前部連結具、
９  ハンギング溝、      １０  フック、
１１  連結片、          １２  基体、
１２Ａ  横板部、        １２Ｂ  縦板部、
１２Ｃ  縦板部、        １３  第１屈曲片、
１４  下面、            １５  第２屈曲片、
１６  凹溝、            １７  固定片、
１８  取付片、          １９  本体パネル、
２０  レール部材、      ２１  上板部、
２２  下板部、          ２３  開口部、
２４  上部端キャップ、  ２５  化粧板、
２６  嵌合部、          ２７  開口溝、
２８  上方係止縁、      ２９  下方係止縁、
３０  切欠部、          ３１  ネジ、
３２  内壁、            ３３  ネジ、
３４  通孔、            ３５  側カバー部材、
３６  係合片、          ３７  通孔、
３８  水平片、          ３９  突部、
４０  ネジ、            ４１  下カバー部材、
４２  ネジ、            ４３  下部端キャップ、
４４  コーナー化粧部、  ４５  装着部、
４６  通孔、            ４７  通孔、
４８  長孔、            ４９  スペーサー、
５０  凹部、            ５１  段部、
５２  ネジ、            ５３  ネジ。
【図１】
2010154932.tif 000003
【図２】
2010154932.tif 000004
【図３】
2010154932.tif 000005
【図４】
2010154932.tif 000006
【図５】
2010154932.tif 000007
【図６】
2010154932.tif 000008
【図７】
2010154932.tif 000009
【図８】
2010154932.tif 000010
【図９】
2010154932.tif 000011
【図１０】
2010154932.tif 000012
【図１１】
2010154932.tif 000013
【図１２】
2010154932.tif 000014